(57)【要約】【課題】効率的な電子番組表の圧縮を実現する。【解決手段】電子番組表の表示に関わる検索条件の入力を受け付ける操作処理部１２と、デジタル放送の入力ストリームから抽出される番組情報から検索条件に属する番組を検索する番組検索処理部１４と、電子番組表の時間軸を調整し、番組検索処理部１４が検索した番組を一画面上に圧縮して表示する電子番組表を生成するＥＰＧ処理部７とを備える。【選択図】図１
2010016633.tif 000002
【特許請求の範囲】
【請求項１】
デジタル放送の入力ストリームから番組情報を抽出し、電子番組表を表示するデジタル放送受信機において、
前記電子番組表の表示に関わる検索条件の入力を受け付ける操作処理部と、
前記番組情報から前記検索条件に属する番組を検索する番組検索処理部と、
電子番組表の時間軸を調整し、前記番組検索処理部が検索した番組を一画面上に圧縮して表示する電子番組表を生成する電子番組表処理部とを備えることを特徴とするデジタル放送受信機。
【請求項２】
デジタル放送の入力ストリームから番組情報を抽出し、電子番組表を表示するデジタル放送受信機において、
前記デジタル放送の選局指示、および前記電子番組表の表示に関わる検索条件の入力を受け付ける操作処理部と、
前記選局指示の入力履歴を記憶し、選局頻度を管理する選局履歴管理手段と、
前記番組情報から前記検索条件に属する番組を検索する番組検索処理部と、
前記番組検索処理部が検索した番組を一画面上に圧縮して表示する際に前記選局頻度の高いチャンネルを優先して表示する電子番組表を生成する電子番組表処理部とを備えることを特徴とするデジタル放送受信機。
【請求項３】
デジタル放送の入力ストリームから番組情報を抽出し、電子番組表を表示するデジタル放送受信機において、
前記電子番組表の表示に関わる検索条件の入力を受け付ける操作処理部と、
前記番組情報から前記検索条件に属する番組を検索する番組検索処理部と、
前記番組検索処理部が検索した番組に関連するＶＯＤ（Ｖｉｄｅｏ  Ｏｎ  Ｄｅｍａｎｄ）コンテンツを検索し、当該ＶＯＤコンテンツを管理するコンテンツ管理手段と、
前記番組検索処理部が検索した番組のみを電子番組表の一画面に表示し、前記一画面の空き領域に前記ＶＯＤコンテンツを表示する電子番組表を生成する電子番組表処理部とを備えることを特徴とするデジタル放送受信機。
【発明の詳細な説明】
【技術分野】
【０００１】
この発明は、画面上に電子番組表を表示するデジタル受信機に関するものである。
【背景技術】
【０００２】
デジタルテレビジョン放送では、従来のアナログ放送に比べてチャンネル数が膨大となり、多くのチャンネルの中から関心のある放送番組を選択する必要がある。また、昨今では、多チャンネル放送だけでなく、ユーザのリクエストに応じて映像視聴ができるビデオオンデマンド（ＶＯＤ：Ｖｉｄｅｏ  Ｏｎ  Ｄｅｍａｎｄａ）サービスも、合わせて提供されている。また。デジタルテレビジョン放送においては、放送スケジュールが電子番組表（ＥＰＧ：Ｅｌｅｃｔｒｉｃ  Ｐｒｏｇｒａｍ  Ｇｕｉｄｅ）という形で含まれており、ユーザはこのＥＰＧを用いて、多数の放送番組の中から好みの番組を探して視聴、または予約視聴や予約録画を行う。
【０００３】
このＥＰＧの表示方法は、一般的に横軸に各放送局、縦軸に番組の放送時刻からなる表形式を用いることが多く、２次元のマス目に番組名が表示される。モニタ画面上に表示されるＥＰＧは、モニタの解像度の制約や視認性の面から、全てのチャンネルが表示されることはなく、また放送時刻も数時間程度の幅でしか表示されない。そのため、ユーザはリモートコントローラなどの操作デバイスを用いて画面をスクロールしながら好みの番組を探して選択する必要があり、一覧性に乏しいという課題があった。
【０００４】
この対策として特許文献１では、キーワード検索された番組情報を含んだチャンネルのみを電子番組表の中で表示し、ユーザが関心のある放送番組が含まれているチャンネルのみに電子番組表を圧縮するように構成している。これにより、ユーザが関心のある放送番組が含まれていないチャンネル、およびユーザが関心のない放送番組は電子番組表の中から削除され、ユーザの嗜好に合った放送番組だけが表示されるため、電子番組表の中から所望の放送番組を探すための画面スクロール操作を削減している。
【０００５】
【特許文献１】特開平２００３−２１９２９８号公報
【発明の開示】
【発明が解決しようとする課題】
【０００６】
しかしながら、上述した従来の電子番組表の表示システムでは、離れた時間帯にユーザの関心がある番組が散在する場合には、時間軸方向に画面スクロールをする必要があり操作性に劣るという課題があった。また、多くのチャンネルにユーザの関心がある番組が在る場合には、電子番組表の圧縮がなされず、結果として画面スクロール操作を削減することができないという課題があった。さらに、ユーザが関心の無い放送番組を電子番組表から削除しているため、１画面に表示する情報量が少なくなり、限られた１画面での情報提供という観点で効率が悪いという課題があった。
【０００７】
この発明は、上記のような課題を解決するためになされたもので、ユーザの関心がある番組が多く存在する場合にも効率的な電子番組表の圧縮を行うことを目的とする。また、一画面の電子番組表での効率的な情報提供を行うことを目的とする。
【課題を解決するための手段】
【０００８】
この発明に係るデジタル放送受信機は、デジタル放送の入力ストリームから番組情報を抽出し、電子番組表を表示するデジタル放送受信機において、前記電子番組表の表示に関わる検索条件の入力を受け付ける操作処理部と、前記番組情報から前記検索条件に属する番組を検索する番組検索処理部と、電子番組表の時間軸を調整し、前記番組検索処理部が検索した番組を一画面上に圧縮して表示する電子番組表を生成する電子番組表処理部とを備えるものである。
【発明の効果】
【０００９】
この発明によれば、デジタル放送の入力ストリームから番組情報を抽出し、電子番組表を表示するデジタル放送受信機において、電子番組表の表示に関わる検索条件の入力を受け付ける操作処理部と、番組情報から検索条件に属する番組を検索する番組検索処理部と、電子番組表の時間軸を調整し、番組検索処理部が検索した番組を一画面上に圧縮して表示する電子番組表を生成する電子番組表処理部とを備えるように構成したので、ユーザの関心がある番組が多くのチャンネルに散在する場合にも効率的に電子番組表を圧縮することができ、ユーザの操作性を向上させることができる。
【発明を実施するための最良の形態】
【００１０】
実施の形態１．
図１は、この発明の実施の形態１に係るデジタル放送受信機の構成を示すブロック図である。このデジタル放送受信機は、入力Ｉ／Ｆ１、フロントエンド信号処理部（以下、Ｆ／Ｅ信号処理部と称する）２、ＴＳデコーダ部３、音声デコーダ部４、映像デコーダ部５、字幕デコーダ部６、電子番組表処理部（以下、ＥＰＧ処理部と称する）７、表示処理部８、音声出力Ｉ／Ｆ９、映像出力Ｉ／Ｆ１０、リモコンＩ／Ｆ１１、操作処理部１２、選局処理部１３、番組検索処理部１４および選局履歴管理部１５で構成されている。
【００１１】
入力Ｉ／Ｆ１は、デジタル放送の高周波信号を入力する。Ｆ／Ｅ信号処理部２は、入力Ｉ／Ｆ１から入力される高周波信号をチャンネル選択して復調し、ＴＳ（Ｔｒａｎｓｐｏｒｔ  Ｓｔｒｅａｍ）パケットストリームを出力する。ＴＳデコーダ部３は、Ｆ／Ｅ信号処理部２から入力されるＴＳパケットストリームを処理してオーディオ、ビデオ、字幕、ＳＩ（Ｓｅｒｖｉｃｅ  Ｉｎｆｏｒｍａｔｉｏｎ）情報の種別毎にＴＳパケットを選択して出力する。音声デコーダ部４はオーディオパケットから音声データを生成し、映像デコーダ部５はビデオパケットから映像データを生成し、字幕デコーダ部６は字幕パケットから字幕データを生成する。
【００１２】
ＥＰＧ処理部７は、ＳＩ情報の中から番組に関する情報を抽出し、電子番組表（Ｅｌｅｃｔｒｏｎｉｃ  Ｐｒｏｇｒａｍ  Ｇｕｉｄｅ：以下、ＥＰＧと称する）を生成する。表示処理部８は、映像データ、字幕データおよびＥＰＧなどの複数の画像入力から画面表示するデータを合成して出力する。音声出力Ｉ／Ｆ９は音声データを外部スピーカ８（図示せず）などに出力し、映像出力Ｉ／Ｆ１０は表示処理部８から入力される映像データを外部モニタ（図示せず）などに出力する。リモコンＩ／Ｆ１１は、ユーザが操作するリモコンからの信号を入力する。
【００１３】
操作処理部１２は、リモコンＩ／Ｆ１１から入力される信号を受信して選局および操作情報を解析し、ＥＰＧ処理部７、表示処理部１０、選局処理部１３、番組検索処理部１４および選局履歴管理部１５に通知する。選局処理部１３は、操作処理部１２から通知される選局情報に基づきＦ／Ｅ信号処理部２およびＴＳデコーダ部３を制御し、ユーザ所望のチャンネルを選局する。番組検索処理部１４は、リモコンを用いてユーザにより番組検索が行われた際に、操作処理部１２から通知される操作情報に含まれる番組検索に係る検索情報に基づき、ＥＰＧ処理部７と共にユーザ所望の番組を検索する。選局履歴管理部１５は、操作処理部１２から通知される選局情報に基づきどのチャンネルが、どの程度の期間、選局されているなどの履歴を管理する。
【００１４】
図２は、この発明の実施の形態１に係るデジタル放送受信機によって表示されるＥＰＧの一例を示す図である。横軸は各放送局に該当する放送チャンネル２０を示し、図２ではｃｈ４０からｃｈ４４までの５チャンネルを表示している。また、縦軸は番組放送時間２１であり、放送時間を１時間単位で区切った時間軸である。この縦軸と横軸が交差するマス目の中に放送番組名などの番組情報２２を表示する。
【００１５】
図２の例では、放送チャンネル２０の領域に各放送局のチャンネル番号のみを表示しているが、放送局名や放送局のロゴ画像を合わせて表示しても良い。また、番組放送時間２１の領域は４時間分を表示し１時間単位で区切り表示しているが、番組の長さよって分単位に細分化するのが通常である。また、この番組放送時間２１では１６：００と２０：００の境界に時間帯が不連続な部分が存在するが、これは後述する処理により「ドラマ」が放送されている時間帯のみを抽出して表示した結果である。
【００１６】
図２の例では、番組情報２２の例えばｃｈ４３の１６：００から１７：００の領域には、放送される番組名「ドラマ５」が表示されている。なお、番組情報２２には番組名だけを表示しているが、関連する情報（例えば、字幕有/無、データ放送有/無など）を合わせて表示しても良い。
【００１７】
次に、この発明の実施の形態１に係るデジタル放送受信機の動作について説明する。動作説明では、通常の立ち上げ時の動作および通常のＥＰＧ表示動作と、ユーザの関心に基づくＥＰＧ表示動作に分けて説明を行う。
まず、通常の立ち上げ時の動作および通常のＥＰＧの表示動作について説明する。デジタル放送受信機は、電源が投入されると自身の初期化処理を行った後、内部の処理としてデジタル放送の選局処理を行う。この場合の選局処理はユーザの操作を必要としない。選局するチャンネルは前回動作時に最後に選局したチャンネル、または、デジタル放送受信機に予め設定されたデフォルトのチャンネルである。なおここでは、このチャンネルを「ｃｈ４０」として説明を行う。
【００１８】
操作処理部１２から電源投入の通知を受けた選局処理部１３は、Ｆ／Ｅ信号処理部２およびＴＳデコーダ３を制御し、「ｃｈ４０」を受信可能な状態にする。選局されたチャンネル（ｃｈ４０）のＴＳストリームデータは、ＴＳデコーダ３により、音声、映像、字幕、ＳＩ情報などにそれぞれ分離され、音声デコーダ部４、映像デコーダ部５、字幕デコーダ部６、ＥＰＧ処理部７へ継続的に出力される。音声デコーダ部４において復号された音声信号は音声出力Ｉ／Ｆ９に出力され、外部に接続されたスピーカに出力される。映像デコーダ部５および字幕デコーダ部６において復号された映像信号および字幕信号は表示処理部８を介して映像出力Ｉ／Ｆ１０に出力され、外部に接続されたモニタに表示される。これらにより、ユーザはｃｈ４０の番組を視聴可能となる。
【００１９】
一方、ＥＰＧ処理部７は、入力されたＳＩ情報から番組情報を抽出し、内部的に図３に示すようなＥＰＧを生成する。次に、ユーザがリモコンを介してＥＰＧ表示指示を入力すると、リモコンＩ／Ｆ１１を介して処理操作部１２がＥＰＧ表示指示を受信し、ＥＰＧ処理部７にＥＰＧを表示するように制御指示を出力する。ＥＰＧ処理部７は、入力された制御指示に基づきＥＰＧを表示処理部８を介して映像出力Ｉ／Ｆ１０に出力し、外部に接続されたモニタにおいてＥＰＧ表示が行われる。例えば、ユーザの操作時刻が１４時過ぎであった場合、ＥＰＧ処理部７は１４時からの時刻および視聴しているｃｈ４０からのチャンネルを含む、画面に出力できる範囲のＥＰＧを表示処理部８に出力する。モニタには図３のＥＰＧのうち、太枠で囲った部分の通常のＥＰＧが表示される。
【００２０】
次に、ユーザの関心に基いたＥＰＧを表示する動作について説明する。図４は、この発明の実施の形態１に係るデジタル放送受信機の動作を示すフローチャートである。以下では、図４に示す処理動作を図２および図３に示す具体的なＥＰＧを参照しながら説明を行う。
ユーザは、リモコン操作により好みの番組、例えば「ドラマ」を指定する（ステップＳＴ１）。なお、この指定操作は、予めデジタル放送受信機に設定しておいてもよく、またＥＰＧ表示の操作と合わせてオプションとして通知する方法でもよい。このステップＳＴ１ではＥＰＧ表示操作と合わせて通知するものとする。操作処理部１２は、ステップＳＴ１において入力された指定に基づき、検索条件として「ドラマ」を指定して番組検索処理部１４に通知する（ステップＳＴ２）。
【００２１】
番組検索処理部１４は、ステップＳＴ２において入力された検索条件に基づき、ＥＰＧ処理部７と連携して「ドラマ」が含まれる番組をＳＩ情報の中の番組情報から検索する（ステップＳＴ３）。 具体的には、図３の例の１７時の時間帯に「ドラマ」が放送されないことを検出する。さらに、１７時以降に「ドラマ」が放送される時刻を検索し、２０時の時間帯に「ドラマ６」が放送されることを検出する。
【００２２】
検索が完了した番組検索処理部１４は、表示すべきＥＰＧの時間帯およびチャンネルをＥＰＧ処理部７に通知する（ステップＳＴ４）。図３の例では、１４時から１６時、および２０時の時間帯、および、ｃｈ４０からｃｈ４４のＥＰＧを表示するように通知する。ＥＰＧ処理部７は、ステップＳＴ４において入力された表示指示に基づき、１４時から１６時および２０時の時間帯でｃｈ４０からｃｈ４４のＥＰＧを再構成し、表示処理部８に出力する（ステップＳＴ５）。
【００２３】
表示処理部８は、ステップＳＴ５において入力されたＥＰＧを映像Ｉ／Ｆ１０を介してモニタに出力する（ステップＳＴ６）。具体的には、図２に示したＥＰＧがモニタに表示される。表示されるＥＰＧには、「ドラマ」が含まれない１７時から１９時がスキップされ、「ドラマ」が含まれる１４時から１６時までの時間帯と２０時の時間帯が表示されるため、ユーザは好みの「ドラマ」番組を容易に見つけ出すことができる。
【００２４】
以上のように、この実施の形態１によれば、ユーザから入力された検索条件が含まれる番組を番組情報から検索する番組検索処理部１４と、ユーザが関心のある番組を最大限ＥＰＧに表示するように時間帯を再構成するＥＰＧ処理部７を設けるようにしたので、ユーザの関心がある番組が離れた時間帯に散在する場合にも、時間軸方向に画面スクロールをすることなく表示することができる。これにより、ＥＰＧ表示の操作性を向上させることができる。
【００２５】
実施の形態２．
実施の形態１において示した選局履歴管理部１５は、リモコンによりユーザの選局操作が行われる度に操作処理部１２から選局情報が入力される。この実施の形態２では、選局履歴管理部１５に通知されたユーザの使用状況に基づきＥＰＧ表示を行う構成を示す。以下では、実施の形態１に係るデジタル放送受信機の構成要素と同一または相当する部分には、実施の形態１で使用した符号と同一の符号を付して説明を省略または簡略化する。
【００２６】
選局履歴管理部１５は、操作処理部１２から入力される選局情報に基づき、チャンネル毎の使用状況を選局履歴として記憶および管理する。ここで使用状況とは、選局回数、選局後の視聴時間（別のチャンネルに切り替わるまでの時間）、この視聴時間の累積時間および選局日時・曜日などである。これにより、選局履歴管理部１５は、ユーザが頻繁に視聴しているチャンネルを把握する。
【００２７】
次に、この選局履歴管理部１５を用いたＥＰＧの表示動作について説明する。図５は、この発明の実施の形態２に係るデジタル放送受信機の動作を示すフローチャートである。以下では、実施の形態１に係るデジタル放送受信機と同一の処理を行うステップには図４で使用した符号と同一の符号を付し、説明を省略または簡略化する。以下では、図５に示す処理動作を図３および図６に示す具体的なＥＰＧの例を参照しながら説明を行う。なお、図６は実施の形態２に係るデジタル放送受信機によって表示されるＥＰＧの一例を示す図である。
【００２８】
ステップＳＴ２において検索条件が通知された番組検索処理部１４は、入力された検索条件に基づき、ＥＰＧ処理部７と連携して「ドラマ」が含まれる番組をＳＩ情報の中の番組情報から検索する（ステップＳＴ３）。さらに番組検索処理１４は、選局履歴管理部１５からユーザが頻繁に視聴するチャンネル情報を取得し（ステップＳＴ１１）、取得したチャンネル情報に含まれるチャンネルに対しても検索条件である「ドラマ」が含まれる番組を検索する（ステップＳＴ１２）。ここでは、ユーザが頻繁に視聴するチャンネルが図３のｃｈ８５およびｃｈ９２であるとする。両チャンネルでは１４時から１７時の時間帯にドラマが放送される。
【００２９】
検索が完了した番組検索処理部１４は、ユーザが頻繁に視聴するチャンネル（ｃｈ８５およびｃｈ９２）のＥＰＧの表示を優先し、表示すべきＥＰＧの時間帯およびチャンネルをＥＰＧ処理部７に通知する（ステップＳＴ１３）。ＥＰＧ処理部７は、ステップＳＴ１３において入力された表示指示に基づきＥＰＧを再構成し、表示処理部８に出力する（ステップＳＴ５）。図３のＥＰＧでは、ｃｈ４０からｃｈ４４にドラマが存在するが、優先する２つのチャンネルｃｈ８５およびｃｈ９２が存在するため、ｃｈ４３およびｃｈ４４は表示対象から外し、図６に示すｃｈ４０、ｃｈ８５、ｃｈ９２、ｃｈ４１およびｃｈ４２を表示するＥＰＧが生成される。図６の例では現在視聴中のチャンネル（ｃｈ４０）をＥＰＧの左端に表示している。なお、ＥＰＧの左端のチャンネルに優先するチャンネル（ｃｈ８５およびｃｈ９２）を表示するように構成してもよい。
【００３０】
表示処理部８は、ステップＳＴ５において入力されたＥＰＧを映像Ｉ／Ｆ１０を介してモニタに出力する（ステップＳＴ６）。このように、ＥＰＧとして頻繁に視聴するチャンネルが表示されるため、ユーザの関心が高い可能性の大きい番組を表示することができる。
【００３１】
以上のように、この実施の形態２によれば、選局履歴管理部１５からユーザが頻繁に視聴するチャンネル情報を取得し、当該チャンネル情報に含まれるチャンネルに対して検索条件である番組を検索するように構成したので、ユーザが頻繁に視聴するチャンネルを優先してＥＰＧに表示することができる。これにより、多くのチャンネルにユーザの検索条件に該当する番組が散在する場合にも、ユーザが好む番組が優先して表示されるため、結果として画面スクロール操作を削減することができる。
【００３２】
なお、上記実施の形態２では、時間帯を再構成（スキップ）しないＥＰＧの生成例を示したが、番組検索処理部１４の検索結果によっては選局頻度の高いチャンネルを優先すると共に、時間帯を再構成したＥＰＧを生成してもよい。
【００３３】
実施の形態３．
図７は、この発明の実施の形態３に係るデジタル放送受信機の構成を示すブロック図である。このデジタル放送受信機は、実施の形態１のデジタル放送受信機に通信入力Ｉ／Ｆ１６、通信処理部１７およびＶＯＤコンテンツ管理部１８を追加して設けている。この実施の形態３のデジタル放送受信機は、いわゆるＩＰＴＶに対応した受信機を想定しており、通信入力Ｉ／Ｆ１６から入力されるデジタル放送を受信して再生すること、またはＶＯＤ（Ｖｉｄｅｏ Ｏｎ Ｄｅｍａｎｄ）サービスを受信して再生することが可能になる。なお、以下では実施の形態１に係るデジタル放送受信機の構成要素と同一または相当する部分には、実施の形態１で使用した符号と同一の符号を付して説明を省略または簡略化する。
【００３４】
放送入力Ｉ／Ｆ１´は、デジタル放送の高周波信号を入力する。通信入力Ｉ／Ｆ１６は、インターネットなどの通信ネットワークを用いて伝送されるデジタル放送やＶＯＤのデータパケットを入力する。通信処理部１７は、所定のプロトコル（例えば、ＩＧＭＰ、ＭＬＤ、ＨＴＴＰ、ＲＴＳＰ、ＲＴＰなど）にてサービス側（図示せず）と通信を行い、通信入力Ｉ／Ｆ１６から入力されるデータパケットを受信処理してＴＳパケットストリームを出力する。ＴＳデコーダ部３は、Ｆ／Ｅ信号処理部２または通信処理部１７から入力されるＴＳパケットストリームを処理してオーディオ、ビデオ、字幕、ＳＩ情報の種別毎にＴＳパケットを選択して出力する。
【００３５】
選局処理部１３は、操作処理部１２から通知される選局情報に基づき、放送波入力の場合にはＦ／Ｅ信号処理部２およびＴＳデコーダ部３を制御してユーザ所望のチャンネルを選局する。一方、通信入力の場合には通信処理部１７およびＴＳデコーダ部３を制御してユーザ所望の番組を選局する、あるいはＶＯＤサービスの受信制御を行う。ＶＯＤコンテンツ管理部１８は、番組検索処理部１４から入力されるコンテンツ検索条件に該当するＶＯＤコンテンツが存在するか否か確認する。確認の方法として、選局処理部１３および通信処理部１７を介してサービス側に逐次問い合わせを行い、その問い合わせ結果を通信処理部１７から受信するように構成してもよいし、予め問い合わせを行いデータベース（図示せず）に登録してある情報から確認するように構成してもよい。
【００３６】
次に、実施の形態３のデジタル放送受信機の動作について説明する。図８は、この発明の実施の形態３に係るデジタル放送受信機の動作を示すフローチャートである。以下では、実施の形態１に係るデジタル放送受信機と同一の処理を行うステップには図４で使用した符号と同一の符号を付し、説明を省略または簡略化する。以下では、図８に示す処理動作を図３および図９に示す具体的なＥＰＧの例を参照しながら説明を行う。なお、図９は実施の形態３に係るデジタル放送受信機によって表示されるＥＰＧの一例を示す図である。
【００３７】
ステップＳＴ３において検索条件である「ドラマ」が含まれる番組をＳＩ情報の中の番組情報から検索した番組検索処理部１４は、生成するＥＰＧのマス目に空きがあるか否かの判定を行う（ステップＳＴ２１）。図３の例では、１４時帯にｃｈ４４に「ドラマ１」が存在し、以降同様に１５時帯にはｃｈ４０、ｃｈ４１、１６時帯はｃｈ４２、ｃｈ４３に「ドラマ２」から「ドラマ５」があり、それ以外には「ドラマ」がないことを抽出して生成するＥＰＧのマス目に空きがあると判定する。
【００３８】
ステップＳＴ２１において、ＥＰＧのマス目に空きがあると判定された場合には、番組検索処理部１４がＶＯＤコンテンツ管理部１８に所定の条件を提示してＶＯＤコンテンツの問い合わせを行う（ステップＳＴ２２）。所定の条件とは、ステップＳＴ３の番組検索の検索結果である番組の属性情報などである。例えば、ステップＳＴ３の検索結果の「ドラマ」の属性情報に含まれる「恋愛」、「刑事」、「Ａ子」、「Ｂ男」である。番組検索処理部１４はコンテンツの内容が「恋愛」または「刑事」であるものを指定し、出演者が「Ａ子」または「Ｂ男」であるものを合わせて指定し、この条件をコンテンツ管理部１８に提示する。
【００３９】
ＶＯＤコンテンツ管理部１８は、ステップＳＴ２２において提示された条件に該当するＶＯＤコンテンツの存在有無を確認し（ステップＳＴ２３）、確認結果を番組検索処理部１４に通知する（ステップＳＴ２４）。番組検索処理部１４は、ステップＳＴ２４において通知された確認結果であるＶＯＤコンテンツ情報と、ステップＳＴ３における検索結果である表示すべきデジタル放送のＥＰＧの時間帯およびチャンネルをＥＰＧ処理部７に通知する（ステップＳＴ２５）。
【００４０】
ＥＰＧ処理部７は、ステップＳＴ２５において入力された表示指示に基づきＥＰＧを再構成し、表示処理部８に出力する（ステップＳＴ５）。この際、ドラマ以外の番組は表示しないようにＥＰＧ表示画面を生成し、代わりにＶＯＤコンテンツ情報のＥＰＧ表示画面を生成し、表示処理部８に出力する（ステップＳＴ５）。表示処理部８は、ステップＳＴ５において入力されたＥＰＧを映像Ｉ／Ｆ１０を介してモニタに出力する（ステップＳＴ６）。
【００４１】
図９の例では、ステップＳＴ３において検索されたドラマ１からドラマ５が表示されると共に、ステップＳＴ２４において通知された４つのＶＯＤコンテンツが表示される。図９の例では、ＥＰＧ上にＶＯＤコンテンツの検索に用いた所定の条件である「内容」や「出演」についても記載している。なお、内容や出演以外にもタイトルを記載するなど、このＥＰＧ上の記載内容は適宜変更可能である。
【００４２】
一方、ステップＳＴ２１において、ＥＰＧのマス目に空きがないと判定された場合には、ステップＳＴ４の処理に進み、実施の形態１と同様の処理を行う。
【００４３】
以上のように、この実施の形態３によれば、ユーザから入力された検索条件が含まれる番組を番組情報から検索する番組検索処理部１４と、ＥＰＧのマス目に空きが存在した場合に、所定条件に合うＶＯＤコンテンツの存在の有無を確認するＶＯＤコンテンツ管理部１８を設けるように構成したので、検索条件に合った番組を表示すると共に、ユーザが興味を持つ可能性の高いＶＯＤコンテンツもＥＰＧに同時に表示することができる。
【００４４】
また、この実施の形態３によれば、ＥＰＧのマス目に空きが存在するか否か判定する番組検索処理部１４を設け、当該判定結果に基づきＶＯＤコンテンツを検索するように構成したのでユーザに関心の無い放送番組を電子番組表から削除した際に、１画面に表示する情報量が少なくなるという問題点を解決し、限られた１画面でより効率的にユーザが興味を示す情報を提供することができる。これにより、ユーザ側は興味のある番組やコンテンツを簡単に見つけることができ、サービス側はＶＯＤサービスの利用を促進させることができる。
【００４５】
なお、上述した実施の形態３では、選局履歴管理部１５に格納された選局頻度を用いずにＥＰＧを生成する構成を示したが、この実施の形態３に実施の形態２の構成を適用してユーザが頻繁に利用するチャンネル情報を用いてＥＰＧ生成を行うように構成してもよい。
【図面の簡単な説明】
【００４６】
【図１】この発明の実施の形態１に係るデジテル放送受信機の構成を示すブロック図である。
【図２】この発明の実施の形態１に係るデジタル放送受信機のＥＰＧ表示内容を示す図である。
【図３】この発明の実施の形態１に係るデジタル放送受信機のＥＰＧ表示内容を示す図である。
【図４】この発明の実施の形態２に係るデジタル放送受信機の動作を示すフローチャートである。
【図５】この発明の実施の形態２に係るデジタル放送受信機の動作を示すフローチャートである。
【図６】この発明の実施の形態２に係るデジテル放送受信機のＥＰＧ表示内容を示す図である。
【図７】この発明の実施の形態３に係るデジタル放送受信機の構成を示すブロック図である。
【図８】この発明の実施の形態３に係るデジタル放送受信機の動作を示すフローチャートである。
【図９】この発明の実施の形態３に係るデジタル放送受信機のＥＰＧ表示内容を示す図である。
【符号の説明】
【００４７】
１  入力Ｉ／Ｆ、２  フロントエンド信号処理部（Ｆ／Ｅ信号処理部）、３  ＴＳデコーダ部、４  音声デコーダ部、５  映像デコーダ部、６  字幕デコーダ部、７  ＥＰＧ処理部、８  表示処理部、９  音声出力Ｉ／Ｆ、１０  映像出力Ｉ／Ｆ、１１  リモコンＩ／Ｆ、１２  操作処理部、１３  選局処理部、１４  番組検索処理部、１５  選局履歴管理部、１６  通信入力Ｉ／Ｆ、１７  通信処理部、１８  ＶＯＤコンテンツ管理部、２０  放送チャンネル、２１  番組放送時間、２２  番組情報。
【図１】
2010016633.tif 000003
【図２】
2010016633.tif 000004
【図３】
2010016633.tif 000005
【図４】
2010016633.tif 000006
【図５】
2010016633.tif 000007
【図６】
2010016633.tif 000008
【図７】
2010016633.tif 000009
【図８】
2010016633.tif 000010
【図９】
2010016633.tif 000011